(57)【要約】【課題】貯水タンク内の水を常に無菌状態に保つことができる浄水装置を提供する。【解決手段】第１貯水タンク１８ａを備えた浄水装置であって、第１貯水タンク１８ａに、銀イオンを浸潤させた銀イオン含有多孔質体２２が収容され、第１貯水タンク１８ａに貯水されている水に銀イオン含有多孔質体２２から銀イオンが放出されるので、貯水タンク内の水を常に無菌状態に保つことができる。また、銀イオンは、極めて強い殺菌力を示す一方で、人体に対して殆ど悪影響を及ぼさないため、第１貯水タンク１８ａに貯水されている水を飲料水として安全に利用できる。【選択図】図２
2019051465.tif 000002
【特許請求の範囲】
【請求項１】
第１貯水タンクを備えた浄水装置であって、  前記第１貯水タンクに、銀イオンを浸潤させた銀イオン含有多孔質体が収容され、  前記第１貯水タンクに貯水されている水に前記銀イオン含有多孔質体から銀イオンが放出されることを特徴とする浄水装置。
【請求項２】
前記第１貯水タンクに水をＵＶ殺菌するＵＶ殺菌灯が設けられるとともに、前記第１貯水タンクに対して水を循環させる循環路が接続され、  前記循環路に水を殺菌するためのオゾン殺菌装置が接続されていることを特徴とする請求項１に記載の浄水装置。
【請求項３】
大気から水を取水する取水装置を備え、  前記取水装置は、取水された水を貯水する第２貯水タンクと、この第２貯水タンクに設けられたＵＶ殺菌灯とを備え、  第２貯水タンクに、銀イオンを浸潤させた銀イオン含有多孔質体が収容され、  前記循環路が前記第２貯水タンクに接続されていることを特徴とする請求項２に記載の浄水装置。
【請求項４】
前記ＵＶ殺菌灯と前記オゾン殺菌装置とが所定時間間隔で作動することを特徴とする請求項２または３に記載の浄水装置。
【発明の詳細な説明】
【技術分野】
【０００１】
本発明は浄水装置に関する。
【背景技術】
【０００２】
水から異物を除去するフィルタ装置を備えた浄水装置の一例として特許文献１に記載のものが知られている。
この浄水装置は、フィルタ装置の下流側に当該フィルタ装置を通過した水を貯水する貯水タンクと、この貯水タンク内の水を取水する取水部とを備え、貯水タンク内には、当該貯水タンク内の水をＵＶ殺菌するＵＶ殺菌灯が設けられている。
【０００３】
このような浄水装置では、フィルタ装置によって、水中に混入している殆どの異物を除去し、この水を貯水タンクに一時貯水して、取水部から取水ことによって、当該水を容易に飲み水等として使用できる。
また、貯水タンク内に水を貯水しておく場合に、当該貯水タンク内での菌の繁殖をＵＶ殺菌灯によるＵＶ殺菌によって防止できるため、安心して貯水できる。
【先行技術文献】
【特許文献】
【０００４】
【特許文献１】特開２０１４−２２３５８９号公報
【発明の概要】
【発明が解決しようとする課題】
【０００５】
ところで、前記従来の浄水装置では、貯水タンク内での菌の繁殖を防止するためにＵＶ殺菌灯が設けられているが、ＵＶ殺菌灯は電源を必要とするため、停電、長期不在、引っ越し等によって電源がＯＦＦとなった場合に、貯水タンク内で細菌が繁殖する虞があるという問題がある。貯水タンク内の水は飲料水として利用するため、常に有害な細菌が繁殖しないように貯水タンク内の水は無菌状態を保つ必要がある。
【０００６】
本発明は、前記事情に鑑みてなされたもので、貯水タンク内の水を常に無菌状態に保つことができる浄水装置を提供することを目的とする。
【課題を解決するための手段】
【０００７】
前記目的を達成するために、本発明の浄水装置は、第１貯水タンクを備えた浄水装置であって、
前記第１貯水タンクに、銀イオンを浸潤させた銀イオン含有多孔質体が収容され、
前記第１貯水タンクに貯水されている水に前記銀イオン含有多孔質体から銀イオンが放出されることを特徴とする。
【０００８】
ここで、第１貯水タンク内の水に対する銀イオンの濃度が０．０２ｐｐｍ以上となるように、第１貯水タンクに収容する銀イオン含有多孔質体の量を調整するとともに、銀イオン含有多孔質体は一定期間ごとに新しいものに交換する。
【０００９】
本発明においては、第１貯水タンクに貯水されている水に銀イオン含有多孔質体から銀イオンが放出されるので、この銀イオンによって常に水が殺菌される。したがって、第１貯水タンク内の水を常に無菌状態に保つことができる。
また、銀イオンは、極めて強い殺菌力を示す一方で、人体に対して殆ど悪影響を及ぼさないため、第１貯水タンクに貯水されている水を飲料水として安全に利用できる。
さらに、銀はイオン化しにくいため銀自体を第１貯水タンクの水に投入しても殆ど銀イオンとならず、殺菌作用に乏しいが、銀イオン含有多孔質体は多孔質体に銀イオンを浸潤させたものであるので、水中において容易に銀イオンが水に放出される。このため、第１貯水タンク内の水を容易に無菌状態に保つことができる。
【００１０】
また、本発明の前記構成において、前記第１貯水タンクに水をＵＶ殺菌するＵＶ殺菌灯が設けられるとともに、前記第１貯水タンクに対して水を循環させる循環路が接続され、
前記循環路に水を殺菌するためのオゾン殺菌装置が接続されていてもよい。
【００１１】
このような構成によれば、第１貯水タンク内の水を銀イオンによる殺菌に加えてＵＶ殺菌灯によってＵＶ殺菌できるので、より確実に殺菌できる。また、オゾン殺菌装置によって循環路を流れる水を殺菌できるので、循環路を流れる水の細菌の繁殖を銀イオンとオゾンとの双方で防止できる。
さらに、循環路から第１貯水タンクに流入する水はオゾン殺菌装置によって殺菌されているので、第１貯水タンク内の水をより確実に無菌状態に保つことができる。
【００１２】
また、本発明の前記構成において、大気から水を取水する取水装置を備え、
前記取水装置は、取水された水を貯水する第２貯水タンクと、この第２貯水タンクに設けられたＵＶ殺菌灯とを備え、
第２貯水タンクに、銀イオンを浸潤させた銀イオン含有多孔質体が収容され、
前記循環路が前記第２貯水タンクに接続されていてもよい。
【００１３】
このような構成によれば、取水装置によって大気から取水され、第２貯水タンクに貯水された水がＵＶ殺菌灯によってＵＶ殺菌されるとともに銀イオン含有多孔質体から放出され銀イオンによって殺菌される。そして、この殺菌された水が循環路を通して第２貯水タンクから第１貯水タンクに流入するので、第１貯水タンク内の水をより確実に無菌状態に保つことができる。
【００１４】
また、本発明の前記構成において、前記ＵＶ殺菌灯と前記オゾン殺菌装置とが所定時間間隔で作動してもよい。
【００１５】
このような構成によれば、銀イオン含有多孔質体から放出され銀イオンによって第１貯水タンクや第２貯水タンク内の水が常時殺菌されるので、ＵＶ殺菌灯とオゾン殺菌装置とが所定時間間隔で作動することによって、細菌の繁殖を防止しながら電気消費量を抑制できる。
【発明の効果】
【００１６】
本発明によれば、第１貯水タンクに貯水されている水に銀イオン含有多孔質体から銀イオンが放出されることで、この銀イオンによって常に水が殺菌されるので、貯水タンク内の水を常に無菌状態に保つことができる。
【図面の簡単な説明】
【００１７】
【図１】第１の実施の形態の浄水装置を示すもので、その概略構成を示す図である。
【図２】同、浄水装置の概略構成を示すもので、（ａ）は右側面図、（ｂ）は左側面図である。
【図３】同、浄水装置の配管の概略構成を示す図である。
【図４】第２の実施の形態の浄水装置を示すもので、その概略構成を示す正面図である。
【発明を実施するための形態】
【００１８】
以下、本発明の実施の形態を図面を参照して説明する。
（第１の実施の形態）
図１は飲料水を得るための浄水装置の概略構成を示す図、図２は同浄水装置の概略構成を示すもので、（ａ）は右側面図、（ｂ）は左側面図、図３は同浄水装置の配管の概略構成を示す図である。
【００１９】
図１に示すように、浄水装置は、取り入れた大気中の湿分を取出すための取水装置Ｓを備えている。当該取水装置Ｓは、大気湿度変換機１と、この大気湿度変換機１に大量の大気を取り入れるための大気取入装置たるシロッコファン２と、大気湿度変換機１に取り入れられた大気を冷却する冷媒を送込む冷却機構３と、大気湿度変換機１によって得られる水から異物を除去するフィルタ装置４とを備えている。なお、大気湿度変換機１と冷却機構３とによって熱交換器２０が構成されている。
【００２０】
シロッコファン２には、取り入れる大気を昇温するための加温装置２ａが設けられている。この加温装置２ａは、電熱線などからなるヒータを内蔵していて、温度センサ（図示略）で大気の加温状態をモニターしながら、大気が一定温度以上になるように制御されている。この場合の温度制御は、制御装置Ｃによってなされる。加温は、例えば、冬などの寒冷期に大気が０℃近い場合に、大気を２０〜５０℃、より好ましくは４０〜５０℃に加熱することにより、大気中の飽和水分量（飽和水蒸気量）を高めて、季節に関わらず効率よく大気中から取水を可能とするものである。したがって、この加温装置２ａを備えることにより、本実施形態の浄水装置を寒冷地方でも効率的に使用することができる。しかも、取り入れられる大気が加温されているので、従来の浄水装置に比べて取水効率が極めて高いものに実現できた。なお、前記加温装置２ａとしては赤外線輻射ヒータのような構成のものでもよい。
【００２１】
図１に示すように、シロッコファン２により吸引された大量の大気を一時に送給することによる弊害を緩和するため、吸引した大気を２〜４に分岐する風量調節機５に送給し、ここで複数の大気流として分岐され、幾分整流されて変動幅の少ない大気が次のフィルタ６に送給される。つまり、風量調節機５の内部には、図示はしないが、風量を調節可能に開閉するダンパが装着されており、前記制御装置Ｃの指示により次のフィルタ６に送給される各分岐管内の風量を均一になるように、ダンパの開閉量を制御するようになっている。
なお、風量調節機５は必ずしも必要ではないが、安定して大量の大気を送給し、取水効率を上げるためには、設けることが好ましい。風量調節機５によって分岐される数、分岐管のサイズ等は適宜選択することができる。
【００２２】
また、図１および図２に示すように、大気を浄水装置のケーシングＫ内に取り込む取込口１６ａには、エアフィルタ７がシロッコファン２より上流側に設けられている。
このエアフィルタ７は、シロッコファン２によって取り入れられる大気から菌、ウイルス、塵等の異物を除去可能なものである。
前記エアフィルタ７としては、例えば、木炭や竹炭、籾殻炭を集積してなるボード（バイオソルボード）を使用することができる。このバイオソルボードの中には、「バイオソル」というナノ・ミクロンサイズの粒子が存在し、この粒子によって埃等の塵埃だけでなく、菌やウイルスをキャッチして不活性化（ウィルスの繁殖を阻害し感染力を無力化させる）させることができる。
また、このバイオソルボードは、洗浄するだけで効果が持続する。例えば約６０℃のお湯に入れて約３０分つけ置き洗いし、直射日光を避け風通しのよい場所で感想させるだけで効果が回復する。
【００２３】
図１に示すように、フィルタ６およびエアフィルタ７によって塵芥や菌、ウイルス等の異物が除去された大気は、シロッコファン２から取り入れられた大量の大気から効率よく湿分を取出すために大気圧力を低減するための大気圧力低減機構たる多孔質通気体８に送給される。多孔質通気体８は、種々の形態のものを採用できるが、大気が加温されて温風になっているので、発泡ポリウレタン製、発泡ポリプロピレン製などの通気体（５０〜１２０メッシュ）を使用することが好ましい。
【００２４】
前記大気湿度変換機１は、多孔質通気体８と、シロッコファン２から取り入れられた大気を冷却して湿分を取出す冷却部９とを備えている。
冷却部９は前記冷却機構３に接続されている。この冷却機構３は、一般に用いられている冷却装置をそのまま使用することができ、例えば、冷媒を圧縮する圧縮器（コンプレッサ）１１と、ファン１４を有する凝縮器１２と、減圧機構（図示せず）と冷熱を蓄熱する蓄熱槽（図示せず）等とからなっていて、冷熱を有する冷媒（冷媒としては、アンモニア、フレオン、水等種々のものを使用することができる）を、配管１３を介して大気湿度変換機１の冷却部９に搬送するようになっている。
冷却部９には、多数のフィンを有する凝結器１０が設けられており、冷却部９によって冷却された大気は、凝結器１０によって凝縮されて水となる。これによって、取り入れられた大量の大気を効果的に凝縮して、水を得ることができるのである。
なお、水が取水された大気（空気）は、空気排出口１６ｂから外部に排出される。この空気排出口１６ｂから排出された空気は、フィルタ６およびエアフィルタ７によって塵芥や菌、ウイルス等の異物が除去されているので、浄水装置を空気清浄装置としても使用できる。
【００２５】
このようにして得られた水は、飲料用に供するため更に、殺菌装置１５に送られる。この殺菌装置１５は、図２に示すように、前記水を貯水する貯水タンク（第２貯水タンク）１５ａと、この貯水タンク１５ａ内の水をＵＶ殺菌するＵＶ殺菌灯１５ｂとを備えている。貯水タンク１５ａは前記フィルタ装置４の上流側で、かつ前記凝結器１０の直下に設けられている。したがって、凝結器１０を有する熱交換器２０によって凝縮された水は下方に落下して、造水受トレイ１５ｃに集められたうえで、貯水タンク１５ａ内に貯水され、ＵＶ殺菌灯１５ｂによってＵＶ殺菌される。なお、造水受トレイ１５ｃは貯水タンク１５ａの上部に設けられている。
【００２６】
ＵＶ殺菌された水はポンプ１７によって前記フィルタ装置４に送り込まれ、当該フィルタ装置４を通過する。
このフィルタ装置４は、図３に示すように、第１フィルタ４ａと、第２フィルタ４ｂと、第３フィルタ４ｃと、第４フィルタ４ｄと、第５フィルタ４ｅとを備えている。なお、本実施の形態では、これらフィルタ４ａ〜４ｅは、上流側から順にこの順番で配置されているが、フィルタ４ａ〜４ｅの順番は適宜変更してもよい。ただし、第５フィルタ４ｅは最下流に配置する。
また、フィルタ４ａ〜４ｅは全て交換可能なカートリッジ状となっており、交換、補修が容易となっている。
【００２７】
第１フィルタ４ａは、水中の固形沈殿物を除去するものであるが、具体的には、水中の５μｍ以上の大きさの固形沈殿物を除去できるものが好ましく、例えば、ポリプロピレン（ＰＰ）繊維を使用したＰＰフィルタが好適に使用される。
第２フィルタ４ｂは、水中の菌、有機化学物質、化合物質等を除去するものであるが、活性炭を使用した活性炭フィルタが好適に使用される。
第３フィルタ４ｃは、水中の異臭を除去するものであるが、塩素（Ｃｈｌｏｒｉｎｅ）、味（Ｔａｓｔｅ）、臭い（Ｏｄｏｒ）を除去できるＣＴＯフィルタが好適に使用される。
第４フィルタ４ｄは、逆浸透膜を有するものであり、ウイルス等も除去できる。この逆浸透膜の孔の大きさは約２ナノメートルであり、ウイルスで現在最も小さいピコルナウイルスやパルボウイルスでも大きさは約２０ナノメートルであるから、ほぼ全ての病原菌やウイルスを除去できる。
【００２８】
第５フィルタ４ｅは、多孔質体、具体的にはセラミックで構成されたセラミックフィルタである。
第１のセラミックは、水を活性化できるものである。水は、水の分子どうしが、水素結合することによって、分子集団（クラスタ）をつくり葡萄の房のようなコミュニティを形成しており、一般的にきれいな水のクラスタは小さく、汚れた水ほどクラスタが肥大化していると言われている。水のクラスタを小さくして、水を活性化するには、例えば、水をセラミック材と接触し、セラミックより放射される遠赤外線と水との接触を効果的に上げることによって、連なった水分子を分裂させて、小さなクラスタを得ることができる。このようにして、水を活性化することによって、体内に無理なく吸収させることができる、活力のある水となる。
【００２９】
第２のセラミックは、雑菌の繁殖を抑制できる抗菌セラミックで構成されており、安全な水にすることができる。
第３のセラミックは、ビタミンＣなどの大切な栄養素を崩壊させにくくする酸化セラミックで構成されている。
第４のセラミックは、天然石セラミックで構成されており、各種天然ミネラルを調整し、からだに優しい水にする。
第５のセラミックは、リン酸カルシウムセラミックで構成されており、カルシウムと各種ミネラルを添加して、ｐＨを安定化させる。
第６のセラミックは、ｐＨを弱アルカリ性に安定させるセラミックで構成されている。
【００３０】
このようなフィルタ装置４を通った水は、第１フィルタ４ａによって水中の固形沈殿物が除去され、第２フィルタ４ｂによって水中の菌、有機化学物質、化合物質等が除去され、第３フィルタ４ｃによって水中の異臭が除去され、第４フィルタ４ｄによってウイルスを等が除去される。このように、第１〜第４フィルタによって、水中に混入している殆どの異物を除去したうえで、第５フィルタ４ｅによって、水を活性化したり、水のミネラル分やｐＨを調整したりして、からだに優しい水を得ることができるので、より飲み水として好ましいものとなる。
【００３１】
このような水は、図２および図３に示すように、浄水装置内部の上部に設けられたタンク１８に貯水される。タンク１８は、冷水タンク（第１貯水タンク）１８ａと、温水タンク１８ｂとを備えている。冷水タンク１８ａは、冷却機能を搭載しており、約５℃〜１２℃の冷水を貯水可能となっている。また、冷水タンク１８ａにはＵＶ殺菌灯２１が設けられている。温水タンク１８ａは、自動煮沸機能を搭載しており、約８０℃〜９０℃のお湯を貯水可能となっている。
【００３２】
冷水タンク１８ａと温水タンク１８ｂとには、それぞれ取水口としての取水コック１９ａ，１９ｂが取り付けられており、当該取水コック１９ａ，１９ｂから冷水や温水を取水できるようになっている。
また、ケーシングＫの上部には操作パネル３２が設けられており、冷水タンク１８ａおよび温水タンク１８ｂ内の水の温度管理、電源ＯＮ・ＯＦＦ等を行えるようになっている。
【００３３】
また、前記第１貯水タンク（冷水タンク）１８ａと第２貯水タンク１５ａとにはそれぞれ、銀イオンを浸潤させた銀イオン含有多孔質体２２がそれぞれ収容され、第１貯水タンク１８ａおよび第２貯水タンク１５ａにそれぞれ貯水されている水に銀イオン含有多孔質体２２から銀イオンが放出されるようになっている。この放出された銀イオンによって第１貯水タンク１８ａおよび第２貯水タンク１５ａに貯水されている水が殺菌される。
銀イオン含有多孔質体２２を構成する多孔質体は、多孔質のセラミックによって形成されており、例えば、天然珪藻土およびＰＶＣ（塩化ビニール）を原料として形成されている。
また、第１貯水タンク１８ａおよび第２貯水タンク１５ａ内の水に対する銀イオンの濃度が０．０２ｐｐｍ以上となるように、第１貯水タンク１８ａおよび第２貯水タンク１５ａにそれぞれ収容する銀イオン含有多孔質体２２の量が調整されるともに、銀イオン含有多孔質体２２は一定期間ごとに新しいものに交換される。
【００３４】
また、図３に示すように、第１貯水タンク１８ａおよび第２貯水タンク１５ａには水を循環させる循環路２３が接続されている。この循環路２３は、配管２３ａ〜２３ｄによって構成されている。配管２３ａは第２貯水タンク１５ａと第１フィルタ４ａとを接続し、配管２３ｂは第１フィルタ４ａ〜第５フィルタ４ｅを順列に接続し、配管２３ｃは第５フィルタ４ｅと第１貯水タンク１８ａとを接続し、配管２３ｄは第１貯水タンク１８ａと第２貯水タンク１５ａとを接続している。
第２貯水タンク１５ａに大気から取水された水が貯水され、この第２貯水タンク１５ａから水が配管２３ａ〜２３ｄの順で流れて循環するようになっている。
また、循環路２３の配管２３ｄにオゾン殺菌装置２４が接続され、このオゾン殺菌装置２４によって配管２３ｄを流れる水がオゾン殺菌されるようになっている。なお、このオゾン殺菌装置２４は、循環路２３のどの位置に接続してもよい。
【００３５】
また、冷水タンク（第１貯水タンク）１８ａと温水タンク１８ｂとは、配管２５によって接続されている。配管２５の一端部は冷水タンク１８ａの下部に接続され、下端部は温水タンク１８ｂの上部に接続されている。また、配管２５には分岐管２５ａの一端部が接続され、この分岐管２５ａの他端部は温水タンク１８ｂの上部に接続されている。したがって、温水タンク１８ｂには冷水タンク１８ａから、温水タンク１８ｂの上部と下部の双方から水が流入するようになっている。これによって、温水タンク１８ｂの内部の温度差を管理するようになっている。
また、冷水タンク１８ａと温水タンク１８ｂとは他の配管２６によっても接続されている。配管２６の一端部は冷水タンク１８ａの上部に接続され、他端部は温水タンク１８ｂの上部に接続されている。これによって、温水タンク１８ｂの内部の温水が沸騰した非常の際の圧力抜きを可能としている、つまり配管２６は安全弁的な役割を担っている。
また、温水タンク１８ｂの下部には水抜き配管３３の一端部が接続され、この水抜き配管３３の他端部には水抜き弁３３ａが設けられている。
【００３６】
また、冷水タンク１８ａの下部には配管２７の一端部が接続され、他端部は冷水用の取水コック１９ａに接続されている。温水タンク１８ｂの下部には配管２８の一端部が接続され、他端部は温水用の取水コック１９ｂに接続されている。
さらに、温水タンク１８ｂの下部には配管２９の一端部が接続され、他端部は循環路２３の配管２３ｄに接続されている。配管２９には電磁弁２９ａが設けられており、通常、電磁弁２９ａは閉じているが、オゾン殺菌装置２４によってオゾン殺菌をする場合に開くようになっている。
また、第４フィルタ４ｄには配管３０の一端部が接続され、他端部は第２貯水タンク１５ａに接続されている。これによって、第４フィルタ４ｄのＲＯ膜（逆浸透膜）を通過できない水（ＲＯ膜は一定の分量の水しか通過できないため、通過できない水が生じ易い。）を一度第２貯水タンク１５ａに戻すことで、配管２３ｂに過度の圧力が作用しないように、水を逃がしている。
【００３７】
このような配管設備を備えた浄水装置では、取水装置Ｓによって大気から取水された水が第２貯水タンク１５ａに貯水されたうえで、ＵＶ殺菌灯１５ｂによってＵＶ殺菌されるとともに、銀イオン含有多孔質体２２から銀イオンが水中に放出されるので、この銀イオンによって殺菌される。このようにして殺菌された水はフィルタ装置４を通過することで、水中に混入している殆どの異物を除去したうえで、第５フィルタ４ｅによって、水を活性化したり、水のミネラル分やｐＨが調整されて冷水タンク（第１貯水タンク）１８ａに貯水され、取水コック１９ａから取水できる。また、冷水タンク１８ａに貯水されている水の一部は温水タンク１８ｂに流入し、温水タンク１８ｂで所定の温度に温められて、温水タンク１８ｂに貯水され、取水コック１９ｂから取水できる。
【００３８】
また、ＵＶ殺菌灯１５ｂ，２１、オゾン殺菌装置２４および電磁弁２９ａは制御盤３１（図２参照）に接続されており、この制御盤３１によって、ＵＶ殺菌灯１５ｂ，２９とオゾン殺菌装置２４とが所定時間間隔で作動する、例えば例えば一日に一定時間だけ作動する。また、オゾン殺菌装置２４が作動開始および停止する際は、電磁弁２９ａが開閉する。電磁弁２９ａが開くとともにオゾン殺菌装置２４が作動し、水が循環することによって、第１貯水タンク１８ａ、第２貯水タンク１５ａ、循環路２３、配管２５〜３０中にある水を全てオゾン殺菌することできる。
【００３９】
以上のように本実施の形態によれば、第１貯水タンク１８ａに貯水されている水に銀イオン含有多孔質体２２から銀イオンが放出されるので、この銀イオンによって常に水が殺菌される。したがって、第１貯水タンク１８ａ内の水を常に無菌状態に保つことができる。
また、銀イオンは、極めて強い殺菌力を示す一方で、人体に対して殆ど悪影響を及ぼさないため、第１貯水タンク１８ａに貯水されている水を飲料水として安全に利用できる。
さらに、銀はイオン化しにくいため銀自体を第１貯水タンク１８ａの水に投入しても殆ど銀イオンとならず、殺菌作用に乏しいが、銀イオン含有多孔質体２２は多孔質体に銀イオンを浸潤させたものであるので、水中において容易に銀イオンが水に放出される。このため、第１貯水タンク１８ａ内の水を容易に無菌状態に保つことができる。
【００４０】
また、第１貯水タンク１８ａに水をＵＶ殺菌するＵＶ殺菌灯２１が設けられるとともに、第１貯水タンク１８ａに対して水を循環させる循環路２３が接続され、循環路２３の配管２３ｄに水を殺菌するためのオゾン殺菌装置２４が接続されているので、第１貯水タンク１８ａ内の水を銀イオンによる殺菌に加えてＵＶ殺菌灯２１によってＵＶ殺菌でき、より確実に殺菌できる。また、オゾン殺菌装置２４によって循環路２３を流れる水を殺菌できるので、循環路２３を流れる水の細菌の繁殖を銀イオンとオゾンとの双方で防止できる。
さらに、循環路２３から第１貯水タンク１８ａに流入する水はオゾン殺菌装置２４によって殺菌されているので、第１貯水タンク１８ａ内の水をより確実に無菌状態に保つことができる。
【００４１】
また、浄水装置は、大気から取水された水を貯水する第２貯水タンク１５ａと、この第２貯水タンク１５ａに設けられたＵＶ殺菌灯１５ｂとを備え、第２貯水タンク１５ａに、銀イオンを浸潤させた銀イオン含有多孔質体２２が収容され、循環路２３が第２貯水タンク１５ａに接続されているので、第２貯水タンク１５ａに貯水された水がＵＶ殺菌灯１５ｂによってＵＶ殺菌されるとともに銀イオン含有多孔質体２２から放出され銀イオンによって殺菌される。そして、この殺菌された水が循環路２３を通して第２貯水タンク１５ａから第１貯水タンク１８ａに流入するので、第１貯水タンク１８ａ内の水をより確実に無菌状態に保つことができる。
加えて、銀イオン含有多孔質体２２から放出され銀イオンによって第１貯水タンク１８ａや第２貯水タンク１５ａ内の水が常時殺菌されるので、ＵＶ殺菌灯１５ｂ，２１とオゾン殺菌装置２４とが所定時間間隔で作動することによって、細菌の繁殖を防止しながら電気消費量を抑制できる。
【００４２】
（第２の実施の形態）
図４は、浄水装置の第２の実施の形態を示すもので、浄水装置の概略構成を示す正面図である。本実施の形態では、浄水装置が大型の取水装置Ｓ１と、浄水装置本体４０とによって構成されている。本実施の形態の浄水装置は、第１の実施の形態の浄水装置と構成部材および作用機能が同様であるので、共通部分には同一符号を付してその説明を省略ないし簡略化する。
また、図４では、大型の取水装置Ｓ１に、１つの浄水装置本体４０を接続した状態を図示しているが、浄水装置本体４０は複数接続してもよい。
【００４３】
取水装置Ｓ１はケーシングＫ１を備え、このケーシングＫ１内に第２貯水タンク１５ａが設けられ、この第２貯水タンク１５ａの上部に熱交換器２０が設けられている。また、ケーシングＫ１の正面開口部にはエアフィルタ７が設けられ、熱交換器２０の背面側にシロッコファン２が設けられている。また、熱交換器２０の下方にはコンプレッサ１１が設けられている。
そして本実施の形態では、第２貯水タンク１５ａ、熱交換器２０、エアフィルタ７およびシロッコファン２は、第１の実施の形態における第２貯水タンク１５ａ、熱交換器２０、エアフィルタ７およびシロッコファン２よりそれぞれ大型になっている。
【００４４】
また、第２貯水タンク１５ａにはＵＶ殺菌灯１５ｂと銀イオン含有多孔質体２２とが設けられている。このＵＶ殺菌灯１５ｂによってＵＶ殺菌されるとともに銀イオンによって殺菌された水は、配管４１およびポンプ４２によって排出されるようになっている。ポンプ４２、ＵＶ殺菌灯１５ｂ、熱交換器２０およびシロッコファン２は、制御部（制御基板）４３によって制御されるようになっている。
【００４５】
浄水装置本体４０はケーシングＫ２を備え、このケーシングＫ２内の上部に冷水タンク（第１貯水タンク）１８ａおよび温水タンク１８ｂが設けられている。冷水タンク１８ａには銀イオン含有多孔質体２２が収容されている。また、冷水タンク１８ａにはＵＶ殺菌灯２１が設けられている。
また、ケーシングＫ２内の下部に、第１フィルタ４ａ、第２フィルタ４ｂ、第３フィルタ４ｃ、第４フィルタ４および第５フィルタ４ｅを備えたフィルタ装置４が設けられている。このフィルタ装置４の上部には、第１フィルタ４ａ、第２フィルタ４ｂ、第３フィルタ４ｃ、第４フィルタ４および第５フィルタ４ｅを順列に接続する接続部材４５が設けられている。
そして、この接続部材４５の一端部と、前記配管４１の他端部とが連結配管４６によって接続されている。また、浄水装置本体４０が複数ある場合は、複数の連結配管４６によって、各浄水装置本体４０の接続部材４５の一端部と、取水装置Ｓ１の配管４１の他端部とを接続してもよいし、連結配管４６を複数に分岐して、この分岐配管によって各浄水装置本体４０の接続部材４５の一端部と、取水装置Ｓ１の配管４１の他端部とを接続してもよい。
【００４６】
また、接続部材４５の他端部と冷水タンク（第１貯水タンク）１８ａとは、配管２３ｃによって接続され、ポンプ５０によって冷水タンク１８ａに水を供給するようになっている。また、配管２３ｃには水抜きパイプ５５が接続されている。
さらに、冷水タンク１８ａと温水タンク１８ｂとは、図４に示す配管２５，２６と同様にして配管（図示略）によって接続されている。また、冷水タンク１８ａと取水コック１９ａ、温水タンク１８ｂと取水コック１９ｂとは、それぞれ図４に示す配管２７，２８と同様にして配管（図示略）によって接続されている。
【００４７】
また、冷水タンク（第１貯水タンク）１８ａと第２貯水タンク１５ａとを配管４７〜４９によって接続してもよい。このように配管すれば、第１貯水タンク１８ａと第２貯水タンク１５ａとに水を循環させる循環路５３を形成できる。循環路５３は、配管４１，４６、接続部材４５、配管２３ｃ、配管４７〜４９によって構成されている。また、温水タンク１８ｂと配管４７とを配管５１によって接続してもよい。さらに、配管４７にオゾン殺菌装置２４を接続してもよい。
【００４８】
なお、ケーシングＫ２の正面上部には操作パネル３２が設けられており、冷水タンク１８ａおよび温水タンク１８ｂ内の水の温度管理、電源ＯＮ・ＯＦＦ等を行えるようになっている。
【００４９】
本実施の形態によれば、第１の実施の形態と同様に効果を得ることができる他、浄水装置を大型の取水装置Ｓ１と、１または複数の浄水装置本体４０とによって構成したので、大型店舗、工場等の大型施設の所望の位置に、浄水装置本体４０を設置できる。
【００５０】
なお、第１および第２の実施の形態では、取水装置Ｓ，Ｓ１を有する浄水装置に本発明を適用した場合について説明したが、本発明はこれに限らず、取水装置を備えていない浄水装置に適用してもよい。つまり、浄水装置の貯水タンクに、銀イオンを浸潤させた銀イオン含有多孔質体を収容してもよい。
【符号の説明】
【００５１】
Ｓ，Ｓ１  取水装置
１５ａ  第２貯水タンク
１５ｂ，２１  ＵＶ殺菌灯
１８ａ  第１貯水タンク
２２  銀イオン含有多孔質体
２３，５３  循環路
２４  オゾン殺菌装置
【図１】
2019051465.tif 000003
【図２】
2019051465.tif 000004
【図３】
2019051465.tif 000005
【図４】
2019051465.tif 000006